(57)【要約】【課題】チルトコイルの有効長および作用半径を大きくすることで駆動トルクを増大し、効率の良いチルトコイルを備えた対物レンズ駆動装置を実現する。【解決手段】本発明では、対物レンズ１と、該対物レンズ１を保持する対物レンズ保持部材２と、複数の駆動コイル３Ａ，３Ｂとからなる可動部と、前記駆動コイル３Ａ，３Ｂの少なくとも一部に近接して配置され且つ磁束が貫くように着磁された駆動磁石６Ａ，６Ｂと、からなる対物レンズ駆動装置において、前記複数の駆動コイル３Ａ，３Ｂの一つは前記対物レンズ１をチルトさせるチルトコイルであって、該チルトコイルの前記駆動磁石６Ａ，６Ｂに近接する一部の辺の延長線が、前記可動部の前記駆動磁石の着磁方向の略中心軸を通っている構成としたので、チルトコイルの有効長および作用半径を大きくすることができ、駆動トルクを増大して効率の良いチルトコイルを提供することができる。【選択図】図１
2006260688.tif 000002
【特許請求の範囲】
【請求項１】
対物レンズと、該対物レンズを保持する対物レンズ保持部材と、複数の駆動コイルとからなる可動部と、前記駆動コイルの少なくとも一部に近接して配置され且つ磁束が貫くように着磁された駆動磁石と、からなる対物レンズ駆動装置において、
前記複数の駆動コイルの一つは前記対物レンズをチルトさせるチルトコイルであって、該チルトコイルの前記駆動磁石に近接する一部の辺の延長線が、前記可動部の前記駆動磁石の着磁方向の略中心軸を通っていることを特徴とする対物レンズ駆動装置。
【請求項２】
請求項１記載の対物レンズ駆動装置において、
前記チルトコイルの一部の辺は、前記駆動磁石の着磁方向から見て、前記可動部の中心と、前記駆動磁石の前記チルトコイルが近接する領域における前記可動部の中心と最も遠い頂点とを結ぶ線に略平行であることを特徴とする対物レンズ駆動装置。
【請求項３】
請求項１または２記載の対物レンズ駆動装置において、
前記チルトコイルは前記駆動磁石の着磁方向を巻回軸とし、かつ略三角形または略台形形状をしており、該チルトコイルの少なくとも一部の辺に近接する前記駆動磁石は、前記三角形または台形を形成する二つの斜辺のそれぞれに対して反対方向の磁束を与えていることを特徴とする対物レンズ駆動装置。
【請求項４】
請求項３記載の対物レンズ駆動装置において、
前記複数の駆動コイルは、前記着磁方向を中心軸として巻回された平面状のフォーカシングコイルとトラッキングコイルおよび前記チルトコイルであって、前記トラッキングコイルのトラッキング方向における両側にはフォーカシングコイルが配置されており、前記駆動磁石はフォーカシング方向の着磁境界線ａを有し、該着磁境界線ａの両側に配置される各トラッキングコイルの対向するフォーカシング方向に電流が流れる部分に互いに反対方向の磁束を与え、さらに前記駆動磁石はトラッキング方向の着磁境界線ｂ、ｂ’を有し、該着磁境界線ｂ、ｂ’の両側に配置される各フォーカシングコイルの対向するトラッキング方向に電流が流れる部分に互いに反対方向の磁束を与えるように着磁されており、前記着磁境界線ａまたは前記着磁境界線ｂ、ｂ’を挟んで略両側に前記チルトコイルの二つの斜辺がそれぞれ配置されていることを特徴とする対物レンズ駆動装置。
【請求項５】
請求項３記載の対物レンズ駆動装置において、
前記複数の駆動コイルは、前記着磁方向を中心軸として巻回された平面状のフォーカシングコイルとトラッキングコイルおよび前記チルトコイルであって、前記フォーカシングコイルのトラッキング方向における両側にはトラッキングコイルが配置されており、前記駆動磁石はトラッキング方向の着磁境界線ｃを有し、該着磁境界線ｃの両側に配置される各フォーカシングコイルのトラッキング方向に電流が流れる部分に、互いに反対方向の磁束を与えるように着磁されており、前記着磁境界線ｃを挟んで略両側に前記チルトコイルの二つの斜辺がそれぞれ配置されていることを特徴とする対物レンズ駆動装置。
【請求項６】
請求項３記載の対物レンズ駆動装置において、
前記複数の駆動コイルは、前記着磁方向を中心軸として巻回された平面状のフォーカシングコイルとトラッキングコイルおよび前記チルトコイルであって、前記駆動磁石はフォーカシング方向の着磁境界線ｄを有し、該着磁境界線ｄの両側に配置される各トラッキングコイルのフォーカシング方向に電流が流れる部分に互いに反対方向の磁束を与え、さらに前記駆動磁石は前記着磁境界線ｄと略十字状に交わる着磁境界線ｅを有し、該着磁境界線ｅの両側に配置される各フォーカシングコイルのトラッキング方向に電流が流れる部分に互いに反対方向の磁束を与えるように着磁されており、前記着磁境界線ｄ、または前記着磁境界線ｅを挟んで両側に前記チルトコイルの二つの斜辺がそれぞれ配置されていることを特徴とする対物レンズ駆動装置。
【請求項７】
請求項１または２記載の対物レンズ駆動装置において、
前記チルトコイルはフォーカシング方向とトラッキング方向を含む平面上で、かつ前記対物レンズの光軸と所定の角度をもつ軸を中心として巻回されている筒状コイルであり、該チルトコイルの少なくとも一部の辺に近接する前記駆動磁石は、前記チルトコイルの近接する一部の辺の略中心に対して両側で反対方向の磁束を与えていることを特徴とする対物レンズ駆動装置。
【請求項８】
請求項１〜４、６、７のいずれか一つに記載の対物レンズ駆動装置において、
前記駆動磁石の着磁方向はフォーカシング方向の着磁境界線を有し、該着磁境界線に対してトラッキング方向における両側で反対方向であることを特徴とする対物レンズ駆動装置。
【請求項９】
請求項１〜４、６、７のいずれか一つに記載の対物レンズ駆動装置において、
前記チルトコイルのみの重心が、前記可動部全体の重心に対して対物レンズと反対側に配置されていることを特徴とする対物レンズ駆動装置。
【請求項１０】
対物レンズと、該対物レンズを保持する対物レンズ保持部材と、矩形の駆動磁石とからなる可動部と、固定部に巻回された複数の駆動コイルとからなり、該駆動コイルの少なくとも一部の辺は、該駆動磁石が発生する磁束に対して略垂直に電流が流れるように前記駆動磁石に近接して配置されている対物レンズ駆動装置において、
前記複数の駆動コイルの一つは前記対物レンズをチルトさせるチルトコイルであって、該チルトコイルの前記駆動磁石に近接する一部の辺は前記矩形の駆動磁石の略対角方向に略平行であることを特徴とする対物レンズ駆動装置。
【請求項１１】
光記録媒体に対して情報の記録または再生あるいは消去を行なう光ピックアップ装置において、
前記光記録媒体に対して照射光を発する光源と、前記光記録媒体からの反射光を受光する受光光学系と、請求項１〜１０のいずれか一つに記載の対物レンズ駆動装置を備えることを特徴とする光ピックアップ装置。
【請求項１２】
ディスク状の光記録媒体を回転駆動する回転駆動系と、前記光記録媒体の半径方向に移動自在に設けられた光ピックアップ装置とを備える光ディスクドライブ装置において、
前記光ピックアップ装置として、請求項１１記載の光ピックアップ装置を備えたことを特徴とする光ディスクドライブ装置。
【発明の詳細な説明】
【技術分野】
【０００１】
本発明は、対物レンズ駆動装置およびそれを用いた光ピックアップ装置並びにその光ピックアップ装置を備えた光ディスクドライブ装置に関する。
【背景技術】
【０００２】
光ディスクドライブ装置では、光ピックアップ装置のレーザ光源からの光束をディスク状の光記録媒体（以下、光ディスクと言う）に照射し、その光ディスクからの反射光を受光素子で受光して識別することによって情報を読取っている。光ディスクドライブ装置の光ピックアップ装置に搭載されている対物レンズ駆動装置は、光ディスクの反射光から得られる制御信号を用いて、対物レンズをフォーカシング方向と、トラッキング方向に駆動して光ディスクの面振れや、偏芯などの動きに追従させ、光ディスクの記録面上に良好なスポットを形成するようにしている。
【０００３】
対物レンズ駆動装置は、その駆動部は電磁モータが採用されていることが多い。電磁モータには可動部側にコイル、固定部側に磁気回路を配置するムービングコイル方式と、可動部側に磁石、固定部側に駆動コイルを配置するムービングマグネット方式がある。近年、高倍速の記録、再生が望まれるようになり、光ディスクの回転数が高くなっているため大きな加速度が必要となることから、加速度感度の高いムービングコイル方式が有利である。電磁モータでは感度を上げるためにはコイルを貫く磁束を大きくすることが効果的であるが、ムービングマグネット方式では磁束を大きくするために磁石が大きくなると、可動部の質量増加につながり、加速度感度特性を向上させることが難しい。
【０００４】
一方、ムービングコイル方式では、固定部の磁石を大きくすることで磁束を大きくすると、磁束の増加分に比例して加速度感度を増加することができる。しかし、可動部側に駆動コイルが搭載されているため、駆動コイルへの電流供給が一つの課題となっている。
また、ムービングコイル方式においては可動部を導電性の複数の弾性支持部材で駆動コイルに電流を供給すると共に、可動部を弾性的に支持する構成が多い。従来は複数の弾性支持部材として断面が丸形状のワイヤを用いた弾性支持部材方式が多く採用されていたが、最近になって、薄板を高精度にプレスで打ち抜いて棒状に加工し、樹脂に位置決めした状態でインサート成型した一体成型方式も多く採用されるようになってきている。
【０００５】
ここで、光ディスクの高密度化のためには、小さなスポットを形成することが必要であり、このためには対物レンズの開口数（ＮＡ）を大きくするか、レーザの波長を短くする必要がある。しかし、ＮＡを大きくしたり、レーザの波長を短くすると、対物レンズの光軸と光ディスクの垂直度がずれることによるコマ収差が発生し易くなり、スポットの品質が劣化する。これによって、記録・再生品質が劣化してしまうという問題が生じる。そのため光ディスクと対物レンズの傾きの精度向上が必要となる。近年では特に傾きに対する精度が厳しくなり、光ディスクと対物レンズの傾き（チルト）を、対物レンズを含む対物レンズ駆動装置の可動部を光ディスクの傾きに合わせてチルト駆動（傾斜動作）を行う３軸駆動または４軸駆動の対物レンズ駆動装置を用いたシステムも提案されている（特許文献１等）。このシステムでは低コスト、省スペース化が可能であり、また、可動部が軽量であるため高速な光ディスクの傾きにも追従させることができる。
【０００６】
ここで、従来の光ディスクドライブ装置に用いられる光ピックアップ装置の対物レンズ駆動装置の一例を以下に説明する。図３４は対物レンズ駆動装置の全体斜視図、図３５は対物レンズ駆動装置の可動部のみを示す要部斜視図、図３６は対物レンズ駆動装置のモータ部のみを示す要部平面図である。
図３４において、この対物レンズ駆動装置では、対物レンズ１が対物レンズ保持部材２に保持されており、対物レンズ保持部材２のタンジェンシャル方向における両側の側面にはタンジェンシャル方向を巻回軸とした平面状の駆動コイル３Ａ，３Ｂが取り付けられている。また、対物レンズ保持部材２のトラッキング方向における両側の側面には中継基板７が取り付けられ、可動部を構成している。中継基板７のランド部にはコイルの端子が接続されている。また、磁性体の板金を折り曲げたベース４の折り曲げ部はヨークになっており、このヨークに駆動磁石６Ａ，６Ｂが取り付けられ、磁気回路を構成している。駆動磁石６Ａ，６Ｂはその表面を前述の駆動コイル３Ａ，３Ｂと所定の隙間を隔てて配置されている。さらに、タンジェンシャル方向を長手方向として、真直なワイヤばね８が配置されており、このワイヤばね８の一端は可動部上の中継基板７のランド部に固定され、ワイヤばね８の他端はベース４に固定された固定部材５に固定されている。尚、ワイヤばね８は導電性であり、その両端は電気的にも接続されていて、固定部材５側の回路基板等から可動部の駆動コイル３Ａ，３Ｂに電流を供給することによって可動部を所望の方向に駆動することが可能になっている。
【０００７】
次にモータ部の詳細な説明をする。前述の駆動コイル３Ａ，３Ｂは、図３５、図３６に示すように、トラッキングコイル３１とフォーカシングコイル３２およびチルトコイル３３であって、トラッキングコイル３１のトラッキング方向における両側にはフォーカシングコイル３２が配置されている。また、前述の駆動磁石６Ａ，６Ｂは、フォーカシング方向の着磁境界線ａを有し、この着磁境界線aの両側において、各トラッキングコイル３１の対向したフォーカシング方向に電流が流れる部分に互いに反対方向の磁束を与え、さらに前記駆動磁石６Ａ，６Ｂは、トラッキング方向の着磁境界線ｂ、ｂ’を有し、この着磁境界線ｂ、ｂ’の両側において、各フォーカシングコイル３２の対向するトラッキング方向に電流が流れる部分に互いに反対方向の磁束を与えるように着磁されている。
【０００８】
ここで、トラッキングコイル３１のトラッキング方向における両側にフォーカシングコイル３２と略同形状のチルトコイル３３が配置されており、そのトラッキング方向に電流が流れる部分はトラッキング方向の着磁境界線ｂ、ｂ’を挟んで両側に配置されている。トラッキングコイル３１の両側のチルトコイル３３ではフォーカシング方向において反対方向の推力が発生するように電流と磁束の向きが設定されており、チルトコイル３３に電流を供給することでラジアルチルト方向に駆動することができる。
【０００９】
【特許文献１】特開平１０−１１６４３１号公報
【発明の開示】
【発明が解決しようとする課題】
【００１０】
従来、上記のような構成でチルト駆動の対物レンズ駆動装置を実現することはできていた。しかしながら、光ディスクドライブ装置の高速化（高倍速化）に伴い、推力不足の問題が発生してきている。
【００１１】
本発明は上記事情に鑑みなされたものであり、対物レンズ駆動装置において、チルトコイルの駆動トルクを増大させることを目的としている。
より詳しく述べると、本発明では、
（１）対物レンズ駆動装置において、チルトコイルの有効長および作用半径を大きくすることで駆動トルクを増大し、効率の良いチルトコイルを提供すること、
（２）チルトコイルの有効長および作用半径が最も大きくなる構成とし、最良な構成を得ること、
（３）平面コイルを用いた構成でチルトコイルの効率を向上すること、
（４）フォーカシング、トラッキングコイルと組合わせて３軸、または４軸の対物レンズ駆動装置を提供すること、
（５）可動部直巻きが可能な筒状コイルでチルトコイルを構成することで組付性を向上しコストを低減すること、
（６）チルトコイルがフォーカシング方向の着磁境界線を跨ぐようにすることで、フォーカシング、トラッキングオフセット時のクロスアクションを低減すること、
（７）チルトコイルを対物レンズに対するバランサに兼用することで、軽量かつ、高次共振特性を高くし、さらにはクロスアクションを低減すること、
（８）ムービングマグネット方式の対物レンズ駆動装置でチルトコイルの有効長および作用半径を大きくすることで駆動トルクを増大すること、
（９）対物レンズ駆動装置のチルトコイルの効率を上げることでスポットを維持し、良好な信号を得ることができる光ピックアップ装置を提供すること、
（１０）良好な信号が得られる光ピックアップ装置を用いることで、データの読み書きを良好に行うことが可能な光ディスクドライブ装置を提供すること、
などを目的としている。
【課題を解決するための手段】
【００１２】
上記目的を達成するため、本発明では以下のような技術的手段を採っている。
本発明の第１の手段は、対物レンズと、該対物レンズを保持する対物レンズ保持部材と、複数の駆動コイルとからなる可動部と、前記駆動コイルの少なくとも一部に近接して配置され且つ磁束が貫くように着磁された駆動磁石と、からなる対物レンズ駆動装置において、前記複数の駆動コイルの一つは前記対物レンズをチルトさせるチルトコイルであって、該チルトコイルの前記駆動磁石に近接する一部の辺の延長線が、前記可動部の前記駆動磁石の着磁方向の略中心軸を通っていることを特徴とする（請求項１）。
【００１３】
本発明の第２の手段は、第１の手段の対物レンズ駆動装置において、前記チルトコイルの一部の辺は、前記駆動磁石の着磁方向から見て、前記可動部の中心と、前記駆動磁石の前記チルトコイルが近接する領域における前記可動部の中心と最も遠い頂点とを結ぶ線に略平行であることを特徴とする（請求項２）。
また、本発明の第３の手段は、第１または第２の手段の対物レンズ駆動装置において、前記チルトコイルは前記駆動磁石の着磁方向を巻回軸とし、かつ略三角形または略台形形状をしており、該チルトコイルの少なくとも一部の辺に近接する前記駆動磁石は、前記三角形または台形を形成する二つの斜辺のそれぞれに対して反対方向の磁束を与えていることを特徴とする（請求項３）。
【００１４】
本発明の第４の手段は、第３の手段の対物レンズ駆動装置において、前記複数の駆動コイルは、前記着磁方向を中心軸として巻回された平面状のフォーカシングコイルとトラッキングコイルおよび前記チルトコイルであって、前記トラッキングコイルのトラッキング方向における両側にはフォーカシングコイルが配置されており、前記駆動磁石はフォーカシング方向の着磁境界線ａを有し、該着磁境界線ａの両側に配置される各トラッキングコイルの対向するフォーカシング方向に電流が流れる部分に互いに反対方向の磁束を与え、さらに前記駆動磁石はトラッキング方向の着磁境界線ｂ、ｂ’を有し、該着磁境界線ｂ、ｂ’の両側に配置される各フォーカシングコイルの対向するトラッキング方向に電流が流れる部分に互いに反対方向の磁束を与えるように着磁されており、前記着磁境界線ａまたは前記着磁境界線ｂ、ｂ’を挟んで略両側に前記チルトコイルの二つの斜辺がそれぞれ配置されていることを特徴とする（請求項４）。
【００１５】
本発明の第５の手段は、第３の手段の対物レンズ駆動装置において、前記複数の駆動コイルは、前記着磁方向を中心軸として巻回された平面状のフォーカシングコイルとトラッキングコイルおよび前記チルトコイルであって、前記フォーカシングコイルのトラッキング方向における両側にはトラッキングコイルが配置されており、前記駆動磁石はトラッキング方向の着磁境界線ｃを有し、該着磁境界線ｃの両側に配置される各フォーカシングコイルのトラッキング方向に電流が流れる部分に、互いに反対方向の磁束を与えるように着磁されており、前記着磁境界線ｃを挟んで略両側に前記チルトコイルの二つの斜辺がそれぞれ配置されていることを特徴とする（請求項５）。
【００１６】
本発明の第６の手段は、第３の手段の対物レンズ駆動装置において、前記複数の駆動コイルは、前記着磁方向を中心軸として巻回された平面状のフォーカシングコイルとトラッキングコイルおよび前記チルトコイルであって、前記駆動磁石はフォーカシング方向の着磁境界線ｄを有し、該着磁境界線ｄの両側に配置される各トラッキングコイルのフォーカシング方向に電流が流れる部分に互いに反対方向の磁束を与え、さらに前記駆動磁石は前記着磁境界線ｄと略十字状に交わる着磁境界線ｅを有し、該着磁境界線ｅの両側に配置される各フォーカシングコイルのトラッキング方向に電流が流れる部分に互いに反対方向の磁束を与えるように着磁されており、前記着磁境界線ｄ、または前記着磁境界線ｅを挟んで両側に前記チルトコイルの二つの斜辺がそれぞれ配置されていることを特徴とする（請求項６）。
【００１７】
本発明の第７の手段は、第１または第２の手段の対物レンズ駆動装置において、前記チルトコイルはフォーカシング方向とトラッキング方向を含む平面上で、かつ前記対物レンズの光軸と所定の角度をもつ軸を中心として巻回されている筒状コイルであり、該チルトコイルの少なくとも一部の辺に近接する前記駆動磁石は、前記チルトコイルの近接する一部の辺の略中心に対して両側で反対方向の磁束を与えていることを特徴とする（請求項７）。
【００１８】
本発明の第８の手段は、第１〜４、６、７のいずれか一つの手段の対物レンズ駆動装置において、前記駆動磁石の着磁方向はフォーカシング方向の着磁境界線を有し、該着磁境界線に対してトラッキング方向における両側で反対方向であることを特徴とする（請求項８）。
また、本発明の第９の手段は、第１〜４、６、７のいずれか一つの手段の対物レンズ駆動装置において、前記チルトコイルのみの重心が、前記可動部全体の重心に対して対物レンズと反対側に配置されていることを特徴とする（請求項９）。
【００１９】
本発明の第１０の手段は、対物レンズと、該対物レンズを保持する対物レンズ保持部材と、矩形の駆動磁石とからなる可動部と、固定部に巻回された複数の駆動コイルとからなり、該駆動コイルの少なくとも一部の辺は、該駆動磁石が発生する磁束に対して略垂直に電流が流れるように前記駆動磁石に近接して配置されている対物レンズ駆動装置において、前記複数の駆動コイルの一つは前記対物レンズをチルトさせるチルトコイルであって、該チルトコイルの前記駆動磁石に近接する一部の辺は前記矩形の駆動磁石の略対角方向に略平行であることを特徴とする（請求項１０）。
【００２０】
本発明の第１１の手段は、光記録媒体に対して情報の記録または再生あるいは消去を行なう光ピックアップ装置において、前記光記録媒体に対して照射光を発する光源と、前記光記録媒体からの反射光を受光する受光光学系と、第１〜第１０のいずれか一つの手段の対物レンズ駆動装置を備えることを特徴とする（請求項１１）。
また、本発明の第１２の手段は、ディスク状の光記録媒体を回転駆動する回転駆動系と、前記光記録媒体の半径方向に移動自在に設けられた光ピックアップ装置とを備える光ディスクドライブ装置において、前記光ピックアップ装置として、第１１の手段の光ピックアップ装置を備えたことを特徴とする（請求項１２）。
【発明の効果】
【００２１】
第１の手段の対物レンズ駆動装置においては、チルトコイルの駆動磁石に近接する一部の辺の延長線が、可動部の駆動磁石の着磁方向の略中心軸を通っていることにより、チルトコイルの有効長および作用半径を大きくすることができ、駆動トルクを増大して効率の良いチルトコイルを提供することができる。
また、第２の手段の対物レンズ駆動装置においては、チルトコイルの有効長および作用半径が最も大きくなる構成とし、最良な構成を得ることができる。
さらに第３の手段の対物レンズ駆動装置においては、平面コイルを用いた構成でチルトコイルの効率を向上することができる。
さらに第４〜６のいずれかの手段の対物レンズ駆動装置においては、フォーカシング、トラッキングコイルと組合わせて３軸、または４軸の対物レンズ駆動装置を実現することができる。
【００２２】
第７の手段の対物レンズ駆動装置においては、可動部直巻きが可能な筒状コイルでチルトコイルを構成することで組付性を向上し、コストを低減することができる。
また、第８の手段の対物レンズ駆動装置においては、チルトコイルがフォーカシング方向の着磁境界線を跨ぐようにすることで、フォーカシング、トラッキングオフセット時のクロスアクションを低減することができる。
さらに第９の手段の対物レンズ駆動装置においては、チルトコイルを対物レンズに対するバランサに兼用することで、軽量かつ、高次共振特性を高くすることができ、さらにはクロスアクションを低減することができる。
また、第１０の手段の対物レンズ駆動装置においては、ムービングマグネット方式の対物レンズ駆動装置でチルトコイルの有効長および作用半径を大きくすることで、駆動トルクを増大することができる。
【００２３】
第１１の手段の光ピックアップ装置においては、第１〜第１０のいずれか一つの手段の対物レンズ駆動装置を備えることにより、チルトコイルの効率を上げて、良好なスポットを維持し、良好な信号を得ることができる光ピックアップ装置を実現することができる。
また、第１２の手段の光ディスクドライブ装置においては、第１１の手段の良好な信号が得られる光ピックアップ装置を用いることにより、データの読み書きを良好に行うことが可能な光ディスクドライブ装置を実現することができる。
【発明を実施するための最良の形態】
【００２４】
以下、本発明の具体的な構成、動作および作用を、図示の実施例に基いて詳細に説明する。
【実施例】
【００２５】
［実施例１（平面コイル：左右対称上下同一磁気回路の構成例）］
［実施例１−１（フォーカシングコイルに重ねてチルトコイルを配置）］
まず本発明の第１〜４の手段に係る実施例１−１を以下に説明する。本実施例の構成の説明図を図１〜図３に示す。図１は対物レンズ駆動装置の全体斜視図、図２は対物レンズ駆動装置の可動部のみを示す要部斜視図、図３は対物レンズ駆動装置のモータ部のみを示す要部平面図である。
図１、図２に示すように、対物レンズ１が対物レンズ保持部材２に保持されており、対物レンズ保持部材２のタンジェンシャル方向における両側の側面にはタンジェンシャル方向を巻回軸とした平面状の駆動コイル３Ａ，３Ｂが取り付けられている。また、対物レンズ保持部材２のトラッキング方向における両側の側面には中継基板７が取り付けられ、可動部を構成している。中継基板７のランド部にはコイルの端子が接続されている。
【００２６】
また、磁性体の板金を折り曲げたベース４の折り曲げ部はヨークになっており、該ヨークには駆動磁石６Ａ，６Ｂが取り付けられ、磁気回路を構成している。駆動磁石６Ａ，６Ｂはその表面を前述の駆動コイル３Ａ，３Ｂと所定の隙間を隔てて配置されている。
さらに、タンジェンシャル方向を長手方向として、真直なワイヤばね８が配置されており、ワイヤばね８の一端は可動部上の中継基板７のランド部に固定され、ワイヤばね８の他端はベースに固定された固定部材５に固定されている。尚、ワイヤばね８は導電性であり、その両端は電気的にも接続されていて、固定部材５側の回路基板等から駆動コイルに電流を供給することによって可動部を所望の方向に駆動することが可能になっている。
【００２７】
次にモータ部の詳細な説明をする。前述の駆動コイル３Ａ，３Ｂは、図２、図３に示すように、トラッキングコイル３１とフォーカシングコイル３２およびチルトコイル３３であって、トラッキングコイル３１のトラッキング方向における両側にはフォーカシングコイル３２が配置されている。また、前述の駆動磁石６Ａ，６Ｂは、図３に示すように、フォーカシング方向の着磁境界線ａを有し、この着磁境界線ａの両側において、各トラッキングコイル３１の対向したフォーカシング方向に電流が流れる部分に互いに反対方向の磁束を与え、さらに、前記駆動磁石６Ａ，６Ｂはトラッキング方向の着磁境界線ｂ、ｂ’を有し、この着磁境界線ｂ、ｂ’の両側において、各フォーカシングコイル３２の対向するトラッキング方向に電流が流れる部分に互いに反対方向の磁束を与えるように着磁されている。なお、この駆動磁石６Ａ，６Ｂは、一つの磁石を多極に着磁しても良いし、または幾つかの磁石を複数並べて構成してもよい。
【００２８】
ここで、図３においては、トラッキングコイル３１のトラッキング方向における両側に三角形状のチルトコイル３３が配置されており、その二つの斜辺はトラッキング方向の着磁境界線ｂ、ｂ’を挟んで両側に配置されている。
また、タンジェンシャル方向から見て、この二つの斜辺の延長線は可動部の中心と略一致するようになっている。ここで可動部の中心とは、可動部全体の質量中心である重心および、ワイヤばね８の支持中心の両方を意味する。
このように三角形状のチルトコイル３３にし、傾斜角度αの斜辺を設けることにより、図５（ａ）に示すように、チルトコイル３３の有効長を長く確保することができ、また、作用半径ｒもｒ’と大きくなるため、駆動トルクＦもより大きな駆動トルク（推力）Ｆ’を得ることができる。
また、チルトコイル３３の斜辺は、駆動磁石６Ａ，６Ｂの頂点と中立位置における可動部の中心（＝駆動磁石の中心）とを結ぶ線と略平行になるようにすることで最も高い効果を得ることができる。
【００２９】
本発明におけるチルトコイル３３のトルクは従来のトルクをＴoldとすると、従来の構成（チルトコイルの有効部がトラッキング方向の場合）に対する駆動トルクＴnewの向上率は、
Ｔnew＝(cosα)＾２＊Ｔold
となり、αを横軸、トルク向上率を縦軸に取ると幾何学的には図５（ｂ）に示すようなトルク向上率を見込むことができる。
【００３０】
ここで可動部がフォーカシング方向に移動した時にチルトコイル３３の斜辺が着磁境界線ｂ、ｂ’を跨いでしまうため、不要な力が発生し、クロスアクションが発生しやすい。これが問題となる場合には、チルトコイル３３の形状を図４に示すように台形にするとよい。但し、台形の場合はチルトコイル３３の無効長の部分の比率が大きくなってしまうため、効率は低下してしまう。
【００３１】
なお、以上のような平面コイルを用いたモータ構成では、図６および図７に示すように、トラッキングコイル３１、フォーカシングコイル３２およびチルトコイル３３として、プリント基板に渦巻状のコイルパターンを形成したプリントコイル３Ａ’，３Ｂ’を複数用いて構成してもよい。図７に示すようなプリントコイルは巻線コイルに比較して部品単価は高いが、組付け性が良いため、本実施例のような複雑なコイル構成の場合、トータルでは低コストな対物レンズ駆動装置を提供することができる。
【００３２】
［実施例１−２（トラッキングコイル部にチルトコイルを配置）］
次に本発明の第８の手段に係る実施例１−２を以下に説明する。本実施例の構成の説明図を、図８〜図１０に示す。図８は対物レンズ駆動装置の全体斜視図、図９は対物レンズ駆動装置の可動部のみを示す要部斜視図、図１０は対物レンズ駆動装置のモータ部のみを示す要部平面図である。
前述の実施例１−１ではトラッキング方向の着磁境界線ｂ、ｂ’の両側にチルトコイル３３の斜辺が配置されていた。ところが、フォーカシング方向に可動部が駆動されたとき、駆動コイル３Ａ，３Ｂが駆動磁石６Ａ，６Ｂに対してオフセットする状態となる。駆動磁石６Ａ，６Ｂによる磁束密度分布は均一にすることが難しいため、オフセットすると不要な推力が発生する。また、光ディスクのフォーカシング方向の可動範囲は比較的大きいため（±１ｍｍ程度）、クロスアクションが増大するなどという問題が発生することになる。そこで、この実施例１−２ではチルトコイル３３をトラッキングコイル３１と重なるように配置し、チルトコイル３３の斜辺はトラッキング方向ではなく、フォーカシング方向の着磁境界線aを跨ぐようにすることでオフセットによるクロスアクションを低減するようにしている。
【００３３】
［実施例１−３（トラッキングコイルの下方にチルトコイルを配置）］
次に本発明の第９の手段に係る実施例１−３を以下に説明する。本実施例の構成の説明図を図１１〜図１３に示す。図１１は対物レンズ駆動装置の全体斜視図、図１２は対物レンズ駆動装置の可動部のみを示す要部斜視図、図１３は対物レンズ駆動装置のモータ部のみを示す要部平面図である。
前述の実施例１−２ではチルトコイル３３をトラッキングコイル３１に重ねて配置したが、この実施例１−３では、チルトコイル３３をトラッキングコイル３１のフォーカシング方向で対物レンズ１と反対側に並べて配置した例である。ここで可動部の中心はあくまでトラッキングコイル３１の推力中心と一致するようにレイアウトされている。従って対物レンズ駆動装置全体の大きさを同じとした時には、実施例１−２に比較して可動部の中心がより光ディスク側に配置されるようになる。従って対物レンズ１の主点と可動部中心との距離を小さくすることができるので、チルト動作によるトラッキング方向へのクロスアクションを低減することができる。また、対物レンズ１の主点が可動部重心に近い方が可動部の弾性変形による高次共振の振幅が小さくなるため、サーボの帯域を高く設定することができるようになる。さらにチルトコイル３３が可動部の下方に位置することになるので、対物レンズ１にガラスレンズなどを用いた場合には、特にチルトコイル３３の質量増加によって、フォーカシング、トラッキングの加速度特性を劣化させることがなく、良好な加速度特性を得ることができる。
【００３４】
［実施例２（平面コイル：上下２極着磁磁気回路の構成例）］
次に本発明の第５の手段に係る実施例２を以下に説明する。本実施例の構成の説明図を図１４〜図１６に示す。図１４は対物レンズ駆動装置の全体斜視図、図１５は対物レンズ駆動装置の可動部のみを示す要部斜視図、図１６は対物レンズ駆動装置のモータ部のみを示す要部平面図である。
図１４、図１５に示すように、対物レンズ１が対物レンズ保持部材２に保持されており、対物レンズ保持部材２のタンジェンシャル方向における両側の側面にはタンジェンシャル方向を巻回軸とした平面状の駆動コイル３Ａ，３Ｂが取り付けられている。また、対物レンズ保持部材２のトラッキング方向における両側の側面には中継基板７が取り付けられ、可動部を構成している。中継基板７のランド部にはコイルの端子が接続されている。また、磁性体の板金を折り曲げたベース４の折り曲げ部はヨークになっており、このヨークに駆動磁石６Ａ，６Ｂが取り付けられ、磁気回路を構成している。駆動磁石６Ａ，６Ｂはその表面を前述の駆動コイル３Ａ，３Ｂと所定の隙間を隔てて配置されている。さらに、タンジェンシャル方向を長手方向として、真直なワイヤばね８が配置されており、このワイヤばね８の一端は可動部上の中継基板７のランド部に固定され、ワイヤばね８の他端はベース４に固定された固定部材５に固定されている。尚、ワイヤばね８は導電性であり、その両端は電気的にも接続されていて、固定部材５側の回路基板等から駆動コイル３Ａ，３Ｂに電流を供給することによって可動部を所望の方向に駆動することが可能になっている。
【００３５】
次にモータ部の詳細な説明をする。図１５および図１６に示すように、可動部のタンジェンシャル方向片側における駆動コイル３Ａ（３Ｂ）は、一つのフォーカシングコイル３２と４連のトラッキングコイル３１および、２連のチルトコイル３３で構成されている。前述の駆動磁石６Ａ（６Ｂ）はトラッキング方向の着磁境界線ｃを有し、該着磁境界線ｃの両側で、フォーカシングコイル３２のトラッキング方向に電流が流れる部分に反対方向の磁束を与えている。着磁境界線ｃのフォーカシング方向における両側、かつフォーカシングコイル３２のトラッキング方向における両側にはそれぞれトラッキングコイル３１が配置され、各々のフォーカシング方向に電流が流れ、フォーカシングコイル３２に隣接する部分のみを駆動磁石６Ａ（６Ｂ）の表面近傍に配置されている。駆動磁石６Ａ（６Ｂ）は、一つの磁石を多極に着磁しても良いし、または幾つかの磁石を複数並べて構成してもよい。
【００３６】
ここで、フォーカシングコイル３２のトラッキング方向における両側に隣接し、トラッキングコイル３１の一部と重なった位置に三角形状のチルトコイル３３が配置されている。チルトコイル３３の二つの斜辺はトラッキング方向の着磁境界線ｃを跨いで両側に配置されている。
タンジェンシャル方向から見て、この二つの斜辺の延長線は可動部の中心と略一致するようになっている。ここで可動部の中心とは、質量中心である重心および、ワイヤばね８の支持中心の両方を意味する。このようにすることで、チルトコイル３３の有効長を長く確保することができ、また、作用半径も大きくなるため、大きな駆動トルクを得ることが可能となる。
【００３７】
［実施例３（平面コイル：４極着磁磁気回路の構成例）］
［実施例３−１（トラッキング方向に並べてチルトコイルを配置）］
次に本発明の第６の手段に係る実施例３−１を以下に説明する。本実施例の構成の説明図を図１７〜図１９に示す。図１７は対物レンズ駆動装置の全体斜視図、図１８は対物レンズ駆動装置の可動部のみを示す要部斜視図、図１９は対物レンズ駆動装置のモータ部のみを示す要部平面図である。
図１７、図１８に示すように、対物レンズ１が対物レンズ保持部材２に保持されており、対物レンズ保持部材２のタンジェンシャル方向における両側の側面にはタンジェンシャル方向を巻回軸とした平面状の駆動コイル３Ａ，３Ｂが取り付けられている。また、対物レンズ保持部材２のトラッキング方向における両側の側面には中継基板７が取り付けられ、可動部を構成している。中継基板７のランド部にはコイルの端子が接続されている。また、磁性体の板金を折り曲げたベース４の折り曲げ部はヨークになっており、このヨークに駆動磁石６Ａ，６Ｂが取り付けられ、磁気回路を構成している。駆動磁石６Ａ，６Ｂはその表面を前述の駆動コイル３Ａ，３Ｂと所定の隙間を隔てて配置されている。さらに、タンジェンシャル方向を長手方向として、真直なワイヤばね８が配置されており、このワイヤばね８の一端は可動部上の中継基板７のランド部に固定され、ワイヤばね８の他端はベース４に固定された固定部材５に固定されている。尚、ワイヤばね８は導電性であり、その両端は電気的にも接続されていて、固定部材５側の回路基板等から駆動コイル３Ａ，３Ｂに電流を供給することによって可動部を所望の方向に駆動することが可能になっている。
【００３８】
次にモータ部の詳細な説明をする。図１８および図１９に示すように、可動部のタンジェンシャル方向片側における駆動コイル３Ａ（３Ｂ）は、２連のフォーカシングコイル３２と２連のトラッキングコイル３１および、２連のチルトコイル３３で構成されている。駆動磁石６Ａ（６Ｂ）はトラッキング方向の着磁境界線ｄを有し、該着磁境界線ｄのフォーカシング方向における両側には２連のトラッキングコイル３１がそれぞれ１個ずつフォーカシング方向に並んでいる。さらに駆動磁石６Ａ（６Ｂ）には着磁境界線ｄと十字状にフォーカシング方向の着磁境界線ｅを有し、該着磁境界線ｅのトラッキング方向における両側には２連のフォーカシングコイル３２がそれぞれ１個ずつトラッキング方向に並んでいる。これらのフォーカシングコイル３２とトラッキングコイル３１は互いに重なっていても良いし、同一面に並べて配置しても良い（図では重なっている例を示している）。
【００３９】
ここで、フォーカシング方向の着磁境界線ｅのトラッキング方向における両側に三角形状のチルトコイル３３が配置されている。チルトコイル３３の二つの斜辺はトラッキング方向の着磁境界線ｄを跨いで両側に配置されている。
タンジェンシャル方向から見て、この二つの斜辺の延長線は可動部の中心と略一致するようになっている。ここで可動部の中心とは、質量中心である重心および、ワイヤばね８の支持中心の両方を意味する。このようにすることで、チルトコイル３３の有効長を長く確保することができ、また、作用半径も大きくなるため、大きな駆動トルクを得ることが可能となる。
【００４０】
［実施例３−２（トラッキング方向およびフォーカシング方向に並べてチルトコイルを配置）］
次に本発明の第６の手段に係る別の実施例３−２を以下に説明する。本実施例の構成の説明図を図２０〜図２２に示す。図２０は対物レンズ駆動装置の全体斜視図、図２１は対物レンズ駆動装置の可動部のみを示す要部斜視図、図２２は対物レンズ駆動装置のモータ部のみを示す要部平面図である。
前述の実施例３−１でチルト方向の推力が足りない場合には、図２０〜図２３に示すように、チルトコイル３３を４連にしても良い。この場合は、実施例３−１の構成に加えて、トラッキング方向の着磁境界線ｄのフォーカシング方向における両側に三角形状のチルトコイル３３を追加し、これらのチルトコイル３３の二つの斜辺はフォーカシング方向の着磁境界線ｅを跨いで両側に配置されるようにする。
この構成では実施例３−１に対してチルトコイル３３の占有する体積が倍になるので、チルト推力を増大することが可能である。
【００４１】
［実施例３−３（トラッキングコイルの下方にチルトコイルを配置）］
次に本発明の第６、第９の手段に係る実施例３−３を以下に説明する。本実施例の構成の説明図を図２３〜図２５に示す。図２３は対物レンズ駆動装置の全体斜視図、図２４は対物レンズ駆動装置の可動部のみを示す要部斜視図、図２５は対物レンズ駆動装置のモータ部のみを示す要部平面図である。
この実施例３−３では図２３〜図２５に示すように、トラッキングコイル３１と同一な面上で、フォーカシング方向の対物レンズ１と反対側にチルトコイル３３が配置されている。すなわち可動部のタンジェンシャル方向片側における駆動コイル３Ａ（３Ｂ）は、２連のフォーカシングコイル３２と１連のトラッキングコイル３１および、１連のチルトコイル３３で構成されている。駆動磁石６Ａ（６Ｂ）はトラッキング方向の着磁境界線ｄを有し、該着磁境界線ｄのフォーカシング方向における対物レンズ１側（光ディスク側）にはトラッキングコイル３１が配置されている。さらに駆動磁石６Ａ（６Ｂ）には着磁境界線ｄと十字状にフォーカシング方向の着磁境界線ｅを有し、該着磁境界線ｅのトラッキング方向における両側には２連のフォーカシングコイル３２がそれぞれ１個ずつトラッキング方向に並んでいる。
ここで、トラッキング方向の着磁境界線ｄのフォーカシング方向における対物レンズ１と反対側に三角形状のチルトコイル３３がトラッキングコイル３１と同一面上に配置されている。このチルトコイル３３の二つの斜辺はフォーカシング方向の着磁境界線ｅを跨いで両側に配置されている。
【００４２】
ここで可動部の中心はあくまでトラッキングコイル３１の推力中心と一致するようにレイアウトされている。従って対物レンズ駆動装置全体の大きさを同じとした時には、実施例３−１や実施例３−２に比較して可動部の中心がより光ディスク側に配置されるようになる。これによって対物レンズ１の主点と可動部中心との距離を小さくすることができるので、チルト動作によるトラッキング方向へのクロスアクションを低減することができる。また、対物レンズ１の主点が可動部重心に近い方が可動部の弾性変形による高次共振の振幅が小さくなるため、サーボの帯域を高く設定することができるようになる。さらにチルトコイル３３が可動部の下方に位置することになるので、対物レンズ１にガラスレンズなどを用いた場合には、特にチルトコイル３３の質量増加によって、フォーカシング、トラッキングの加速度特性を劣化させることがなく、良好な加速度特性を得ることができる。
【００４３】
［実施例４（チルトコイルを対物レンズ保持部材に巻きつけた構成例）］
次に本発明の第７の手段に係る実施例４を以下に説明する。本実施例の構成の説明図を図２６〜図２８に示す。図２６は対物レンズ駆動装置の全体斜視図、図２７は対物レンズ駆動装置の可動部のみを示す要部斜視図、図２８は対物レンズ駆動装置のモータ部のチルトコイルと駆動磁石のみを示す要部平面図である。
図２６、図２７に示すように、対物レンズ１が対物レンズ保持部材２に保持されており、対物レンズ保持部材２のタンジェンシャル方向における両側の側面にはタンジェンシャル方向を巻回軸とした平面状の駆動コイル３Ａ，３Ｂ（ここではフォーカシングコイル３２およびトラッキングコイル３１）と筒状のチルトコイル３３が取り付けられている。また、対物レンズ保持部材２のトラッキング方向における両側の側面には中継基板７が取り付けられ、可動部を構成している。中継基板７のランド部にはコイルの端子が接続されている。また、磁性体の板金を折り曲げたベース４の折り曲げ部はヨークになっており、このヨークに駆動磁石６Ａ，６Ｂが取り付けられ、磁気回路を構成している。駆動磁石６Ａ，６Ｂはその表面を前述の駆動コイル３Ａ，３Ｂと所定の隙間を隔てて配置されている。さらに、タンジェンシャル方向を長手方向として、真直なワイヤばね８が配置されており、このワイヤばね８の一端は可動部上の中継基板７のランド部に固定され、ワイヤばね８の他端はベース４に固定された固定部材５に固定されている。尚、ワイヤばね８は導電性であり、その両端は電気的にも接続されていて、固定部材５側の回路基板等から駆動コイル３Ａ，３Ｂに電流を供給することによって可動部を所望の方向に駆動することが可能になっている。
【００４４】
次にモータ部の詳細な説明をする。図２７および図２８に示すように、可動部のタンジェンシャル方向側面の駆動コイル３Ａ（３Ｂ）は、一つの平面状のフォーカシングコイル３２と４連の平面状のトラッキングコイル３１で構成され、さらに２連の筒状チルトコイル３３が設けられている。前述の駆動磁石６Ａ，６Ｂはトラッキング方向の着磁境界線ｆを有し、該着磁境界線ｆの両側で、フォーカシングコイル３２のトラッキング方向に電流が流れる部分に反対方向の磁束を与えている。着磁境界線ｆのフォーカシング方向における両側、かつフォーカシングコイル３２のトラッキング方向における両側にはそれぞれトラッキングコイル３１が配置され、各々のフォーカシング方向に電流が流れ、フォーカシングコイル３２に隣接する部分のみを駆動磁石６Ａ（６Ｂ）の表面近傍に配置されている。駆動磁石６Ａ（６Ｂ）は、一つの磁石を多極に着磁しても良いし、または幾つかの磁石を複数並べて構成してもよい。
【００４５】
ここでチルトコイル３３は対物レンズ１の光軸と所定の角度±αをなす軸を中心として筒状に対物レンズ保持部材２に直巻されている。チルトコイル３３の対物レンズ保持部材２のタンジェンシャル方向両側側面の斜めの辺は駆動磁石６Ａ，６Ｂの表面近傍に配置されている。
タンジェンシャル方向から見て、この二つの斜辺の延長線は可動部の中心と略一致するようになっている。ここで可動部の中心とは、質量中心である重心および、ワイヤばね８の支持中心の両方を意味する。このようにすることで、チルトコイル３３の有効長を長く確保することができ、また、作用半径も大きくなるため、大きな駆動トルクを得ることが可能となる。
【００４６】
本構成のチルトコイル３３のように対物レンズ保持部材２にコイルを直巻する構成は、組付け性も容易なので、低コストで実現することができ、また、対物レンズ保持部材２に対する組付け誤差が小さい。さらに、フォーカシングコイル３２とトラッキングコイル３１をプリントコイルなどで構成すれば、３軸、４軸駆動の対物レンズ駆動装置を比較的容易に実現することが可能である。
【００４７】
［実施例５（ムービングマグネット方式の構成例）］
本発明の第１０の手段に係る実施例５を以下に説明する。本実施例の構成の説明図を、図２９〜図３１に示す。図２９は対物レンズ駆動装置の全体斜視図、図３０は対物レンズ駆動装置の可動部のみを示す要部斜視図、図３１は対物レンズ駆動装置のモータ部のみを示す要部平面図である。
図２９、図３０に示すように、対物レンズ１が対物レンズ保持部材２に保持されており、対物レンズ保持部材２のタンジェンシャル方向における両側の側面にはフォーカシング方向の着磁境界線ｇを有し、タンジェンシャル方向に２極に着磁された駆動磁石６Ａ，６Ｂが取り付けられ、可動部を構成している。また、ベース４側にはフォーカシングコイル３２、トラッキングコイル３１およびチルトコイル３３からなる駆動コイル３Ａ，３Ｂが取り付けられている。駆動コイル３Ａ，３Ｂはその表面を前述の駆動磁石６Ａ，６Ｂと所定の隙間を隔てて配置されている。さらに、タンジェンシャル方向を長手方向として、真直なワイヤばね８が配置されており、このワイヤばね８の一端は可動部側面に固定され、ワイヤばね８の他端はベース４に固定された固定部材５に固定されている。駆動コイル３Ａ，３Ｂは図示しない配線を介して固定部材５の回路基板等と接続され、駆動コイル３Ａ，３Ｂに電流を供給することによって可動部を所望の方向に駆動することが可能になっている。
【００４８】
次にモータ部の詳細な説明をする。図２９〜３１に示すように、可動部に対向するタンジェンシャル方向片側の駆動コイル３Ａ（３Ｂ）は、２連のフォーカシングコイル３２と２連のトラッキングコイル３１および、１連のチルトコイル３３で構成されている。対物レンズ駆動装置としては、これらの駆動コイル３Ａ（３Ｂ）は可動部を挟んでタンジェンシャル方向両側に配置されるので、これらが直列につながっている。前述の可動部側に設けた駆動磁石６Ａ，６Ｂはフォーカシング方向の着磁境界線ｇを有し、該着磁境界線ｇの両側で、反対方向の磁束が発生している。着磁境界線ｇのトラッキング方向における両側には、トラッキング方向を巻回軸とし、互いに反対方向に巻回されたフォーカシングコイル３２と、フォーカシング方向を巻回軸とし、互いに反対方向に巻回されたトラッキングコイル３１が配置されている。また、チルトコイル３３は、前述の矩形の駆動磁石６Ａ（６Ｂ）の対角線の方向に平行になるように巻回されている。そして、各々の駆動コイルに電流を流すことによって各々の軸方向に可動部を駆動することが可能である。
【００４９】
また、タンジェンシャル方向から見て、駆動磁石６Ａ（６Ｂ）の着磁境界線ｇは可動部の中心と略一致するようになっている。ここで可動部の中心とは、質量中心である重心および、ワイヤばね８の支持中心の両方を意味する。このようにすることでチルトコイル３３の効率が向上し、大きな駆動トルクを得ることが可能となる。
【００５０】
［実施例６（実施例１〜５のいずれかの対物レンズ駆動装置を搭載した光ピックアップ装置の実施例）］
次に本発明の第１１の手段に係る実施例６の構成を図３２を用いて説明する。図３２は光ピックアップ装置の一構成例を示す概略構成図である。この光ピックアップ装置４２に搭載されている光源（例えば半導体レーザ（ＬＤ））４３から出射した拡散光は、コリメートレンズ４４によって略平行光になる。その後ビームスプリッタ４５を通り、立上げミラー４６により光路を折り曲げられる。立上げミラー４６によって光路を折り曲げられた平行光は光ピックアップ装置４２に搭載された対物レンズ駆動装置４１の対物レンズ１に入射し、光記録媒体である光ディスク１６上に微小なスポットを形成する。スポットによる光ディスク１６からの反射光はビームスプリッタ４５によって入射した方向と向きを９０度変えて、受光光学系５０の集光レンズ４７とシリンドリカルレンズ４８を通った後、受光素子４９に入射する。尚、光ディスク１６上のスポットの反射光が受光素子４９に入射するように配置しておき、受光素子４９で得られた信号（フォーカシングエラー信号、トラッキングエラー信号等）を元にして対物レンズ駆動装置４１のフォーカシングコイル３２とトラッキングコイル３１を駆動することによって光ディスク１６に対して対物レンズ１を追従することで光ディスクの情報を得ることができる。
【００５１】
ここで、光ピックアップ装置４２に搭載されている対物レンズ駆動装置４１としては、実施例１〜実施例５で説明した、フォーカシング動作、トラッキング動作によるチルト変動が小さい対物レンズ駆動装置４１が搭載されているため、良好な信号を得られる光ピックアップ装置を実現することができる。
【００５２】
［実施例７（実施例６の光ピックアップ装置を搭載した光ディスクドライブ装置の実施例）］
次に本発明の第１２の手段に係る実施例７の構成を図３３を用いて説明する。図３３は光ディスクドライブ装置の一構成例を示す図であって、（ａ）は光ディスクドライブ装置の概略平面図、（ｂ）は光ディスクドライブ装置の概略側面図である。
光ディスクドライブ装置の筐体５１に防振ゴム５２を介してピックアップモジュールベース５３が設置されている。ピックアップモジュールベース５３には光ディスク１６を回転させるスピンドルモータ５４が固定されている。また、ピックアップモジュールベース５３に取り付けられたシークレール５５には図３２に示した構成の光ピックアップ装置４２が搭載されている。この光ピックアップ装置４２はシークレール５５上を光ディスク１６の半径方向に移動可能である。
ここで本実施例の光ディスクドライブ装置に搭載されている光ピックアップ装置４２は、実施例６で説明したような良好なスポットを維持し、良好な信号を得ることができる光ピックアップ装置であるため、記録・再生性能が優れた光ディスクドライブ装置を提供することができる。
【図面の簡単な説明】
【００５３】
【図１】本発明の一実施例を示す対物レンズ駆動装置の全体斜視図である。
【図２】図１に示す対物レンズ駆動装置の可動部のみを示す要部斜視図である。
【図３】図１に示す対物レンズ駆動装置のモータ部のみを示す要部平面図である。
【図４】図１に示す対物レンズ駆動装置のモータ部の別の構成を示す要部平面図である。
【図５】チルトコイルを三角形状にした場合の作用効果の説明図であり、（ａ）はチルトコイルに角度αの傾斜辺を設けた場合のコイル有効長の変化と作用半径および推力の変化を示す図、（ｂ）はチルトコイルの傾斜辺の角度αに対するトルク向上率を示す図である。
【図６】本発明の別の実施例を示す対物レンズ駆動装置の全体斜視図である。
【図７】図６に示す対物レンズ駆動装置の駆動コイルをプリント基板に形成した場合の例を示すプリントコイルの平面図である。
【図８】本発明のさらに別の実施例を示す対物レンズ駆動装置の全体斜視図である。
【図９】図８に示す対物レンズ駆動装置の可動部のみを示す要部斜視図である。
【図１０】図８に示す対物レンズ駆動装置のモータ部のみを示す要部平面図である。
【図１１】本発明のさらに別の実施例を示す対物レンズ駆動装置の全体斜視図である。
【図１２】図１１に示す対物レンズ駆動装置の可動部のみを示す要部斜視図である。
【図１３】図１１に示す対物レンズ駆動装置のモータ部のみを示す要部平面図である。
【図１４】本発明のさらに別の実施例を示す対物レンズ駆動装置の全体斜視図である。
【図１５】図１４に示す対物レンズ駆動装置の可動部のみを示す要部斜視図である。
【図１６】図１４に示す対物レンズ駆動装置のモータ部のみを示す要部平面図である。
【図１７】本発明のさらに別の実施例を示す対物レンズ駆動装置の全体斜視図である。
【図１８】図１７に示す対物レンズ駆動装置の可動部のみを示す要部斜視図である。
【図１９】図１７に示す対物レンズ駆動装置のモータ部のみを示す要部平面図である。
【図２０】本発明のさらに別の実施例を示す対物レンズ駆動装置の全体斜視図である。
【図２１】図２０に示す対物レンズ駆動装置の可動部のみを示す要部斜視図である。
【図２２】図２０に示す対物レンズ駆動装置のモータ部のみを示す要部平面図である。
【図２３】本発明のさらに別の実施例を示す対物レンズ駆動装置の全体斜視図である。
【図２４】図２３に示す対物レンズ駆動装置の可動部のみを示す要部斜視図である。
【図２５】図２３に示す対物レンズ駆動装置のモータ部のみを示す要部平面図である。
【図２６】本発明のさらに別の実施例を示す対物レンズ駆動装置の全体斜視図である。
【図２７】図２６に示す対物レンズ駆動装置の可動部のみを示す要部斜視図である。
【図２８】図２６に示す対物レンズ駆動装置のモータ部のみを示す要部平面図である。
【図２９】本発明のさらに別の実施例を示す対物レンズ駆動装置の全体斜視図である。
【図３０】図２９に示す対物レンズ駆動装置の可動部のみを示す要部斜視図である。
【図３１】図２９に示す対物レンズ駆動装置のモータ部のみを示す要部平面図である。
【図３２】本発明のさらに別の実施例を示す光ピックアップ装置の概略構成図である。
【図３３】本発明のさらに別の実施例を示す光ディスクドライブ装置の構成説明図である。
【図３４】従来技術の一例を示す対物レンズ駆動装置の全体斜視図である。
【図３５】図３４に示す対物レンズ駆動装置の可動部のみを示す要部斜視図である。
【図３６】図３４に示す対物レンズ駆動装置のモータ部のみを示す要部平面図である。
【符号の説明】
【００５４】
１：対物レンズ
２：対物レンズ保持部材
３Ａ，３Ｂ：駆動コイル
４：ベース
５：固定部材
６Ａ，６Ｂ：駆動磁石
７：中継基板
８：ワイヤばね
１６：光ディスク（光記録媒体）
３１：トラッキングコイル
３２：フォーカシングコイル
３３：チルトコイル
４１：対物レンズ駆動装置
４２：光ピックアップ装置
４３：光源
４４：コリメートレンズ
４５：ビームスプリッタ
４６：立上げミラー
４７：集光レンズ
４８：シリンドリカルレンズ
４９：受光素子
５０：受光光学系
５１：筐体
５２：防振ゴム
５３：ピックアップモジュールベース
５４：スピンドルモータ
５５：シークレール
【図１】
2006260688.tif 000003
【図２】
2006260688.tif 000004
【図３】
2006260688.tif 000005
【図４】
2006260688.tif 000006
【図５】
2006260688.tif 000007
【図６】
2006260688.tif 000008
【図７】
2006260688.tif 000009
【図８】
2006260688.tif 000010
【図９】
2006260688.tif 000011
【図１０】
2006260688.tif 000012
【図１１】
2006260688.tif 000013
【図１２】
2006260688.tif 000014
【図１３】
2006260688.tif 000015
【図１４】
2006260688.tif 000016
【図１５】
2006260688.tif 000017
【図１６】
2006260688.tif 000018
【図１７】
2006260688.tif 000019
【図１８】
2006260688.tif 000020
【図１９】
2006260688.tif 000021
【図２０】
2006260688.tif 000022
【図２１】
2006260688.tif 000023
【図２２】
2006260688.tif 000024
【図２３】
2006260688.tif 000025
【図２４】
2006260688.tif 000026
【図２５】
2006260688.tif 000027
【図２６】
2006260688.tif 000028
【図２７】
2006260688.tif 000029
【図２８】
2006260688.tif 000030
【図２９】
2006260688.tif 000031
【図３０】
2006260688.tif 000032
【図３１】
2006260688.tif 000033
【図３２】
2006260688.tif 000034
【図３３】
2006260688.tif 000035
【図３４】
2006260688.tif 000036
【図３５】
2006260688.tif 000037
【図３６】
2006260688.tif 000038